(57)【要約】【課題】空気調和機において、エアフィルターのメンテナンスの手間を低減する自動清掃装置として、エアフィルターに付着した塵埃をブラシにて定期的に清掃をするものが考案されているが、ブラシとエアフィルターがお互いにこすられるためブラシに塵埃が絡みついたり、ブラシが摩耗もしくは変形して機能低下するなどの問題があった。また、ある程度の時間が経過したらブラシで掻き落として集めた塵埃を処理しなくてはならずメンテナンスの手間が大幅に軽減されるものではなかった。【解決手段】エアーフィルター２に沿って駆動可能な吸引ノズル３と、吸引ノズル３に連結された吸引装置６により構成される空気調和機のフィルター装置において、吸引ノズル３のエアーフィルター２の横桟２Ｃが相対する面側に突起１８を設けることで、エアフィルター２に付着した塵埃を自動で確実に吸引し、室外へ排出することができる。【選択図】図２
2006118738.tif 000002
【特許請求の範囲】
【請求項１】
熱交換器を通過する空気の塵埃を除去するエアフィルターと、前記エアーフィルターに沿って駆動可能な吸引ノズルと、前記吸引ノズルに連結された吸引装置により構成される空気調和機のフィルター装置において、前記吸引ノズルの前記エアーフィルターの横桟が相対する面側に突起形状を設けたことを特徴とする空気調和機のフィルター装置。
【請求項２】
前記吸引ノズルの突起を吸引ノズルの駆動方向に沿って線状に設けたことを特徴とする請求項１に記載の空気調和機のフィルター装置。
【請求項３】
前記吸引ノズルの線状突起を前記エアーフィルターの横桟が相対する面の正面側と上面側にそれぞれ設けたことを特徴とする請求項２に記載の空気調和機のフィルター装置。
【請求項４】
前記吸引ノズルの突起を球状にし、吸引ノズルの駆動方向に沿って複数個設けたことを特徴とする請求項１に記載の空気調和機のフィルター装置。
【請求項５】
前記吸引ノズルの球状突起を前記エアーフィルターの横桟が相対する面の正面側と上面側にそれぞれ設けたことを特徴とする請求項４に記載の空気調和機のフィルター装置。
【請求項６】
前記吸引ノズルにおいて、エアフィルターに相対する面の両端をノズルの縦方向に沿ってＣカット形状もしくはＲ形状で形成したことを特徴とする請求項１〜５のいずれかに記載の空気調和機のフィルター装置。
【発明の詳細な説明】
【技術分野】
【０００１】
本発明は、フィルターの清掃を自動的に行うようにした空気調和機に関するものである。
【背景技術】
【０００２】
従来の空気調和機のフィルター装置は、熱交換器の前面に、空気調和機の本体内部へ埃が侵入することを防ぐためのエアフィルターが設けられており、このエアフィルターは付着した塵埃を手で清掃できるように着脱自在に構成されている。こうした構成でのフィルター装置は頻繁なメンテナンスが必要となるだけでなく、メンテナンスが行われるまでの間にはエアフィルターが徐々に目詰まりしていき、その結果、熱交換器を通過する風量が低下し、空調能力が低下して消費電力の増大につながることとなる。
【０００３】
このため、フィルターのメンテナンスの手間を低減する目的で、特許文献１のようにエアフィルターに付着した塵埃をブラシにて定期的に清掃する自動清掃装置が考案されている。
【特許文献１】特開２００１−９９４７９号公報
【発明の開示】
【発明が解決しようとする課題】
【０００４】
しかしながら、上記従来技術ではブラシとエアフィルターがお互いにこすられるためブラシに塵埃が絡みついたり、ブラシが摩耗もしくは変形して機能低下するなどの問題があった。また、ある程度の時間が経過したらブラシで掻き落として集めた塵埃を処理しなくてはならずメンテナンスの手間が大幅に軽減されるものではなかった。こうした観点からエアフィルターの自動清掃装置としてはフィルターに付着した塵埃を吸引ノズルにて吸引清掃し、吸引された塵埃を集塵装置に集塵もしくは室外へ排出する清掃方法が好ましい。
【０００５】
本発明は、前記従来の課題を解決するもので、エアフィルター全面の自動吸引清掃を行うことが可能な空気調和機のフィルター装置を提供するものである。
【課題を解決するための手段】
【０００６】
前記課題を解決するため本発明は、熱交換器を通過する空気の塵埃を除去するエアフィルターと、前記エアーフィルターに沿って駆動可能な吸引ノズルと、前記吸引ノズルに連結された吸引装置により構成される空気調和機のフィルター装置において、前記吸引ノズルの前記エアーフィルターの横桟が相対する面側に突起形状を、設けたものである。
【０００７】
これによって、エアフィルターに付着した塵埃を吸引ノズルにより、自動で確実に吸引清掃することが可能となる。
【発明の効果】
【０００８】
本発明のフィルター装置は、エアフィルターと吸引ノズルとの隙間を一定に保つことができる。
【発明を実施するための最良の形態】
【０００９】
第１の発明は、熱交換器を通過する空気の塵埃を除去するエアフィルターと、前記エアーフィルターに沿って駆動可能な吸引ノズルと、前記吸引ノズルに連結された吸引装置により構成される空気調和機のフィルター装置において、前記吸引ノズルの前記エアーフィルターの横桟が相対する面側に突起形状を設けたことにより、エアフィルターとの隙間を
一定に保つことができ、エアフィルター上の塵埃の良好な吸引清掃を行うことができる。
【００１０】
第２の発明は、特に、第１の発明の吸引ノズルの突起を吸引ノズルの駆動方向に沿って線状に設けたことにより、エアフィルターの横桟に巾広く当てることができるため、エアフィルターとの隙間を確実に一定に保つことができ。エアフィルターに付着した塵埃を確実に吸引清掃することが可能となる。
【００１１】
第３の発明は、特に、第２の発明の吸引ノズルの線状突起を前記エアーフィルターの横桟が相対する面の正面側と上面側にそれぞれ設けたことにより、より安定した状態で吸引ノズルの吸引性能を向上させることができる。
【００１２】
第４の発明は、特に、第１の発明の吸引ノズルの突起を球状にし、吸引ノズルの駆動方向に沿って複数個設けたことにより、エアフィルターの横桟との接触面積を最小限にすることができ、静かな接触音で確実に吸引することができる。
【００１３】
第５の発明は、特に、第４の発明の吸引ノズルの球状突起を前記エアーフィルターの横桟が相対する面の正面側と上面側にそれぞれ設けたことにより、より安定した状態で吸引ノズルの吸引性能を向上させることができる。
【００１４】
第６の発明は、特に、第１〜５のいずれか１つの発明の吸引ノズルにおいて、エアフィルターに相対する面の両端をノズルの縦方向に沿ってＣカット形状もしくはＲ形状で形成したことにより、エアフィルターに付着した塵埃を前記吸引ノズルに設けた吸引孔まで、スムーズに誘い込むことができるため、より良好な吸引清掃が可能となる。
【００１５】
以下、本発明の実施の形態について、図面を参照しながら説明する。なお、この実施の形態によって本発明が限定されるものではない。
【００１６】
（実施の形態１）
図1、２は本発明の実施の形態１における空気調和機のフィルター装置の構成例を示した図である。図１において熱交換器を通過する空気の塵埃を除去するエアフィルター２は、フィルターワク１に支持固定され、エアフィルター２の表面に沿って移動可能な吸引ノズル３が設けられる。吸引ノズル３はフィルターワク１の上下端に設置されたガイドレール４により、エアフィルター２と極めて狭い間隙を保って円滑に左右に移動することができる。エアフィルター上に付着した塵埃はこの吸引ノズル３より吸引される。さらに、吸引ノズル３には吸引ダクト５が連結され、さらに吸引ダクト５は吸引装置６に連結される。吸引ダクト５は吸引ノズル３の移動に差し支えないように折り曲げ可能なダクトで形成される。さらに、吸引装置６には排気ダクト７が連結され、室外へ引き回される。吸引ノズル３により吸引されたエアフィルター２の塵埃は吸引ダクト５、吸引装置６、排気ダクト７を経由して室外へ排出される。
【００１７】
また、吸引ノズル３は、吸引した風の流通路を構成するノズル８と、ノズル８を囲むように設けられたフィルム９と、フィルム９を支持して駆動力を伝えるギヤ１４と、フィルム９を支持して円滑に駆動させるためのローラー１５ａ、１５ｂ、１５ｃから構成される。ノズル８のエアフィルター側の面には、エアフィルター２の縦長さに相当する長さでスリット状のノズル開口部１０が設けてある。一方、フィルム９はループ状に形成され、ノズル開口部１０を覆うようにノズル８の外周に巻き付けられ、エアフィルター側の面は、ノズル開口部１０に相当する開口部１６が設けられ、フィルムガイド１７で支持されている。フィルム９にはスリット状の吸引孔１１が設けてあり、吸引孔１１の位置がノズル開口部１０に相対する位置にフィルム９は取り付けられている。フィルム９の両端には等間隔の駆動穴が設けられており、ステッピングモーターを連結したギヤ１４が、駆動穴に噛
み合わさることによってフィルム９は上下方向のいずれにも自在に駆動できるようになっている。
【００１８】
以上のような構成により、吸引装置６によって吸引される風量は吸引孔１１に絞られて集中することとなるので、少ない風量でも吸引孔１１部分では強い風速を発生させることが可能となる。すなわち、小出力で強い吸引力を発揮することが可能となる。この強い吸引力で吸引されたエアフィルター上の塵埃は、吸引孔１１からノズル開口部１０を経てノズル８内部に入り、さらに吸引ダクト５、吸引装置６、排気ダクト７を経由して室外へ排出される。そして、吸引ノズル３を左右に駆動する毎に、フィルム９に設けた吸引孔１１を可変させることで、エアフィルター全面を吸引清掃することが可能となる。
【００１９】
このとき、吸引清掃を確実に行うには、吸引ノズル３とエアフィルター２と隙間を一定に保つことが重要となる。しかしながら、エアフィルター２は、図７に示すように樹脂のフィルター桟２ａに樹脂繊維のネット２ｂを一体成形したものであるため、変形し易い素性を持っている。この変形により隙間が減少すると、エアフィルター２のネット２ｂに付着した塵埃は吸引ノズル３に接触して削ぎ落とされてしまうため、吸引孔１１から吸引され無くなってしまう。そこで、図２に示すように吸引ノズル３のエアーフィルター２の横桟２ｃが相対する面側に突起１８を設けたことにより、吸引ノズル３とエアフィルター２との隙間を一定に保つことができ、エアフィルター２上の塵埃の良好な吸引清掃を行うことができる。
【００２０】
（実施の形態２）
図３は、本発明の実施の形態２を示した吸引ノズル３の図である。吸引ノズル３の突起１８を吸引ノズル３の駆動方向に沿って線状に設けたことにより、エアフィルター２の横桟２ｃに巾広く当てることができるため、エアフィルター２との隙間を確実に一定に保つことができ。エアフィルター２に付着した塵埃を確実に吸引清掃することが可能となる。
【００２１】
（実施の形態３）
図３は、本発明の実施の形態３を示した吸引ノズル３の図である。吸引ノズル３の線状突起１８をエアーフィルター２の横桟２ｃが相対する面の正面側と上面側にそれぞれ設けたことにより、より安定した状態で吸引ノズル３の吸引性能を向上させることができる。
【００２２】
（実施の形態４）
図４は、本発明の実施の形態４を示した吸引ノズル３の図である。吸引ノズル３の突起を球状１９にし、吸引ノズル３の駆動方向に沿って複数個設けたことにより、エアフィルター２の横桟２ｃとの接触面積を最小限にすることができ、静かな接触音で確実に吸引することができる。
【００２３】
（実施の形態５）
図４は、本発明の実施の形態５を示した吸引ノズル３の図である。吸引ノズル３の球状突起１９をエアーフィルター２の横桟２ｃが相対する面の正面側と上面側にそれぞれ設けたことにより、より安定した状態で吸引ノズル３の吸引性能を向上させることができる。
【００２４】
（実施の形態６）
図５は、本発明の実施の形態６を示した吸引ノズル３の断面図である。吸引ノズル３において、エアフィルター２に相対する面（フィルムガイド１７）の両端を吸引ノズル３の縦方向に沿ってＣカット形状１９で形成したものである。これによりエアフィルター２のネット２ｂに付着した塵埃を吸引ノズル３の端部に引っ掛けることなく、吸引孔１１までスムーズに誘い込むことができるため、より良好な吸引清掃が可能となる。
【００２５】
また、図６のようにＲ形状２０としても同様の効果を得ることができる。
【産業上の利用可能性】
【００２６】
本発明のフィルター装置は、エアフィルターに付着した埃を自動的で確実な吸塵排出が可能になるので、他のフィルター使用商品の用途にも適用できる。
【図面の簡単な説明】
【００２７】
【図１】本発明の実施の形態１における空気調和機のフィルター装置の構成例を示した斜視図
【図２】本発明の実施の形態１における空気調和機のフィルター装置の図１のＡ−Ａによる吸引ノズル及びエアフィルターの断面図及び部分拡大図
【図３】本発明の実施の形態２及び実施の形態３における空気調和機のフィルター装置の図１のＡ−Ａによる吸引ノズルの断面図及び部分拡大図
【図４】本発明の実施の形態４及び実施の形態５における空気調和機のフィルター装置の図１のＡ−Ａによる吸引ノズルの断面図及び部分拡大図
【図５】本発明の実施の形態６における吸引ノズルの構成例を示した断面図
【図６】本発明の実施の形態６における吸入ノズルの別構成例を示した断面図
【図７】本発明の実施の形態１〜６におけるエアフィルターの構成例を示した斜視図
【符号の説明】
【００２８】
１  フィルターワク
２  エアフィルター
２ａ  フィルター桟
２ｂ  ネット
２ｃ  横桟
３  吸引ノズル
４  ガイドレール
５  吸引ダクト
６  吸引装置
７  排気ダクト
８  ノズル
９  フィルム
１０  ノズル開口部
１１  吸引孔
１４  ギヤ
１５ａ  ローラー
１５ｂ  ローラー
１５ｃ  ローラー
１６  開口部
１７  フィルムガイド
１８  突起
１９  球Ｒ突起
２０  Ｃカット形状
２１  Ｒ形状
【図１】
2006118738.tif 000003
【図２】
2006118738.tif 000004
【図３】
2006118738.tif 000005
【図４】
2006118738.tif 000006
【図５】
2006118738.tif 000007
【図６】
2006118738.tif 000008
【図７】
2006118738.tif 000009